(57)【要約】      （修正有）【課題】ユーザーがプラグを容易に押すことができる真空鮮度保存容器を提供する。【解決手段】真空鮮度保存容器は、上部開口１０ｂを有する容器本体１０と、蓋２０とを備え、蓋は、貫通孔２２２を有する蓋本体２２とプラグ２６とを備え、蓋本体が、取り外し可能に容器本体に結合され、上部開口の周縁を密閉するように配置されている。プラグは、貫通孔を開閉するように貫通孔に配置されるプラグ本体２８と、プラグ本体の頂部に配置される可動部材３０とを含む。真空ポンプを蓋の頂部に取り付けて容器本体の貫通孔を介して、空気を吸引すると、プラグ本体が外部の空気の圧力により押圧されて下に移動して貫通孔を閉塞する。またユーザーが可動部材を押すと、可動部材がずれて貫通孔を開放する。【選択図】図２
0003225210.tif 000002
【実用新案登録請求の範囲】
【請求項１】
上部開口を有する容器本体と蓋とを備え、
前記蓋は、貫通孔を有する蓋本体とプラグとを備え、
前記蓋本体が、取り外し可能に前記容器本体に結合され、前記上部開口を覆うように配置されており、
前記プラグは、前記貫通孔を開閉するように前記貫通孔に配置されているプラグ本体と、前記プラグ本体の頂部に配置されている可動部材とを含む
ことを特徴とする真空鮮度保存容器。
【請求項２】
前記プラグ本体の頂部には係合溝を有し、
前記可動部材は、取り外し可能に前記係合溝に係合される係合部と、前記係合部の上方に位置する延出部とを備える
請求項１に記載の真空鮮度保存容器。
【請求項３】
前記係合溝は、連通する第一溝部及び第二溝部を有し、前記第一溝部は前記第二溝部より溝幅が小さく、前記第二溝部の上方に位置し、
前記可動部材の係合部は、前記第二溝部に位置するヘッド部及び前記第一溝部に位置するネック部を有する
請求項２に記載の真空鮮度保存容器。
【請求項４】
前記可動部材は、前記係合部及び前記延出部を連結するフランジを有し、前記フランジの底面が前記プラグ本体の頂面に対向するように配置されている
請求項２に記載の真空鮮度保存容器。
【請求項５】
前記フランジの底面は、前記プラグ本体の頂面に当接しているように配置されている
請求項４に記載の真空鮮度保存容器。
【請求項６】
前記プラグ本体は、第一フランジ部と、第二フランジ部と、前記第一フランジ部と前記第二フランジ部とを連結する連結部とを有し、
前記第一フランジ部は、前記フランジより外径が大きく、前記貫通孔の頂縁の外側に位置し、前記プラグ本体の頂面は前記第一フランジ部に位置し、
前記連結部が前記貫通孔を貫通し、
前記第二フランジ部が前記貫通孔の底縁の外側に位置するように配置されている
請求項４に記載の真空鮮度保存容器。
【請求項７】
前記延出部は、前記フランジから第１の軸方向に沿って上方へ延伸する板状をなし、前記第１の軸方向と垂直する第２の軸方向に互いに対向する二つの立面を備え、
前記フランジは前記二つの立面とそれぞれ連結された二つの上傘面を備え、それぞれの前記上傘面と前記立面との間に９０度〜１０５度の角が形成される
請求項４に記載の真空鮮度保存容器。
【請求項８】
前記二つの立面の間の距離は前記第１の軸方向において、上から下に向かって徐々に拡大するように配置されている
請求項７に記載の真空鮮度保存容器。
【請求項９】
前記蓋本体は、頂面から凹む凹穴を有し、前記貫通孔が前記凹穴の奥に位置し、
前記可動部材は、前記凹穴に位置し、頂縁が前記凹穴の頂縁より低くなるように配置されている
請求項１に記載の真空鮮度保存容器。
【請求項１０】
前記蓋本体は、前記容器本体の内部に向ける奥面を有し、前記奥面には下へ延伸して前記貫通孔を囲む円筒部が配置されており、前記円筒部の外周面には複数のリブを有し、
前記蓋は、内周面が前記複数のリブに当接して前記円筒部に外嵌されるインナー蓋を備え、前記インナー蓋の内周面と前記円筒部の外周面との間に隙間を形成するように配置されている
請求項１に記載の真空鮮度保存容器。
【考案の詳細な説明】
【技術分野】
【０００１】
本考案は、鮮度保存容器に関し、特に、真空鮮度保存容器に関する。
【背景技術】
【０００２】
鮮度保存容器は、食品を収納し、食品が外界の塵や細菌の影響を受けないようにして、食品の保存期間を延長するために用いられる。伝統的な鮮度保存容器は、容器本体と蓋とを備え、蓋で容器本体を覆うことで、容器本体内の食品を外界から隔離することができる。
【０００３】
最近、真空鮮度保存容器を発売しているメーカーもある。真空鮮度保存容器は、蓋にバルブ及びプラグを増設するとともに、真空ポンプを蓋に取り付けて、バルブを介して容器本体内の空気を外部に抜き出して、プラグでバルブを閉じて、真空鮮度保存容器の内部に負圧を維持させる。これによって、真空鮮度保存容器の内部の空気を減らすことで、食品の保存期間を延ばすことができる。
【考案の概要】
【考案が解決しようとする課題】
【０００４】
しかし、従来のプラグは一体成形されたシリコン素材からなり、且つ、露出した頂部はシート状になる。ユーザーが真空鮮度保存容器の真空を解除したいとき、指先でプラグのシート状の頂部を押下してバルブを開放しなければならないため力を入れにくい。特に、真空鮮度保存容器のプラグの頂部が濡れていたり、水気を吸着していたりする場合には、プラグの頂部が滑りやすくなり、指先でバルブを開放させることが困難である。
【０００５】
したがって、従来の真空鮮度保存容器の設計は完全ではなく、改善の余地がある。
【０００６】
これを鑑みて、本考案は、ユーザーがプラグを容易に押すことができる真空鮮度保存容器を提供する目的とする。
【課題を解決するための手段】
【０００７】
上記の目的を達成するために、本考案の真空鮮度保存容器は、上部開口を有する容器本体と蓋とを備え、前記蓋は、貫通孔を有する蓋本体とプラグとを備え、前記蓋本体が、取り外し可能に前記容器本体に結合され、前記上部開口を覆うように配置されており、前記プラグは、前記貫通孔を開閉するように前記貫通孔に配置されているプラグ本体と、前記プラグ本体の頂部に配置されている可動部材とを含む。
【考案の効果】
【０００８】
本考案によれば、前記プラグ本体に可動部材を配置することで、ユーザーがプラグを容易に押して真空を開放し、蓋を外すことができるので使用が便利になる。
【図面の簡単な説明】
【０００９】
【図１】本考案の好ましい実施形態に係わる真空鮮度保存容器の斜視図である。
【図２】上述の好ましい実施形態に係わる真空鮮度保存容器の分解斜視図である。
【図３】上述の好ましい実施形態に係わるプラグの分解斜視図である。
【図４】上述の好ましい実施形態に係わる蓋本体の底面斜視図である。
【図５】上述の好ましい実施形態に係わる真空鮮度保存容器の平面図である。
【図６】図５の６−６方向の断面図である。
【図７】図５の７−７方向の断面図である。
【図８】真空ポンプが上述の好ましい実施形態に係わる真空鮮度保存容器に取り付けられたことを示す斜視図である。
【図９】可動部材を押してプラグ本体がずれることを示す図である。
【考案を実施するための形態】
【００１０】
以下、図面を参照しながら、本考案の好ましい実施形態を詳細に説明する。
【００１１】
図１〜図９に示すように、本考案の第一の好ましい実施形態に係る真空鮮度保存容器１００は、容器本体１０と蓋２０とを備え、前記容器本体１０が、収納空間１０ａ及び前記収納空間１０ａと連通する上部開口１０ｂとを有する。前記容器本体１０の二つの対向する側面が延出して二つのロックタブ１２が形成されている。
【００１２】
前記蓋２０は、蓋本体２２とプラグ２６とを備え、前記蓋本体２２が、取り外し可能に容器本体１０の頂部に結合され、前記上部開口１０ｂを覆うように配置されている。蓋本体２２の二つの対向する側面にはロック部４０が配置されており、前記二つのロック部４０が前記容器本体１０の前記二つのロックタブ１２に係止され、これによって、前記蓋２０が前記容器本体１０に安定に結合するとともに、前記上部開口１０ｂの周縁をシールすることができる。本実施形態において、前記蓋本体２２の周縁部には前記容器本体１０の上部開口１０ｂの周縁に当接するパッキン２３を配置することで、気密効果を向上することができる。実際の応用に応じて、蓋本体を前記容器本体１０の上部開口１０ｂの周縁に直接に当接するように配置してもよい。
【００１３】
前記蓋本体２２には貫通孔２２２を有し、前記容器本体１０の収納空間１０ａが貫通孔２２２を介して外部に連通する。本実施形態において、前記蓋本体２２が頂面２２ａから凹む凹穴２２４を有し、前記貫通孔２２２が前記凹穴２２４の奥に位置する。前記蓋本体２２は、前記容器本体１０の収納空間１０ａである内部に向ける奥面２２ｂを有し、前記奥面２２ｂには下へ延伸して前記貫通孔２２２を囲む円筒部２４が配置されている。前記円筒部２４の外周面２４２には複数のリブ２４６を有し、前記複数のリブ２４６が前記外周面２４２の円周方向に沿って配置され、且つそれぞれの前記リブ２４６が円筒部２４の軸方向に沿って奥面２２ｂまで延びている。
【００１４】
前記プラグ２６は、前記貫通孔２２２を開閉するように前記貫通孔２２２に配置されているプラグ本体２８と、前記プラグ本体２８の頂部に配置されている可動部材３０とを含む。ユーザーが前記可動部材３０を引くといった操作を行うと、前記プラグ本体２８が前記貫通孔２２２から離脱しない状態でずれ、前記貫通孔２２２を開放させる。本実施形態において、前記プラグ本体２８は、シリコンからなり、前記可動部材３０としては、例えばプラスチックのようなシリコーンより硬度が高い素材を利用可能である。前記プラグ本体２８は、第一フランジ部２８２と、第二フランジ部２８４と、前記第一フランジ部２８２と前記第二フランジ部２８４とを連結する連結部２８６とを有する。前記第一フランジ部２８２は、前記貫通孔２２２の頂縁の外側に位置し、前記第一フランジ部２８２の頂面２８２ａが前記プラグ本体２８の頂面になる。前記連結部２８６が前記貫通孔２２２を貫通し、前記第二フランジ部２８４が前記第一フランジ部２８２より外径が小さく、前記貫通孔２２２の底縁の外側に位置している。前記連結部２８６の軸方向の長さが前記貫通孔２２２の深さより大きくように形成されている。
【００１５】
前記可動部材３０が取り外し可能に前記プラグ本体２８の頂部に係合されている。本実施形態において、前記プラグ本体２８の頂部には係合溝２８８を有し、前記可動部材３０は、前記係合溝２８８に挿入されて係合される係合部３２と、前記係合部３２の上方に位置する延出部３４とを備える。前記延出部３４は、ユーザーが引く操作を行うために用いられるものである。より詳細には、前記可動部材３０は、前記蓋本体２２の凹穴２２４に位置し、延出部３４の頂縁が前記凹穴２２４の頂縁より低くなるように配置されている。前記係合溝２８８は、連通する第一溝部２８８ａ及び第二溝部２８８ｂを有し、第一溝部２８８ａが前記プラグ本体２８の頂面から凹んでなり、前記第一溝部２８８ａは、前記第二溝部２８８ｂより溝幅が小さく、前記第二溝部２８８ｂの上方に位置する。前記可動部材３０の係合部３２は、前記第二溝部２８８ｂに位置するヘッド部３２２及び前記第一溝部２８８ａに位置するネック部３２４を有する。前記プラグ本体２８がシリコンで可撓性を有するため、前記第一溝部２８８ａを介して前記ヘッド部３２２を前記第二溝部２８８ｂに押し込ませて、前記ヘッド部３２２を前記第二溝部２８８ｂに位置決めさせる。
【００１６】
本実施形態において、前記可動部材３０は、更に、前記係合部３２及び前記延出部３４を連結するフランジ３６を有し、前記フランジ３６の底面が前記第一フランジ部２８２の頂面２８２ａに対向するように配置され、前記第一フランジ部２８２は、前記フランジ３６より外径が大きい。前記フランジ３６の底面が前記プラグ本体２８の第一フランジ部２８２の頂面２８２ａに当接するように配置されることが好ましい。前記延出部３４は、板状をなして前記フランジ３６の中間部位に位置し、前記フランジ３６から第１の軸方向Ｚに沿って上方へ延伸しており、前記延出部３４の高さが前記第一フランジ部２８２の厚さより大きい。前記延出部３４は、前記第１の軸方向Ｚと垂直する第２の軸方向Ｘに互いに対向する二つの立面３４２を備える。前記フランジ３６は前記二つの立面３４２とそれぞれ連結された二つの上傘面３６２を備え、それぞれの前記上傘面３６２がそれぞれの前記立面３４２から離れる方向に下へ傾斜している。それぞれの前記上傘面３６２と前記立面３４２との間に９０度〜１０５度の角θが形成され、本実施形態において、前記角θは１００度である。
【００１７】
また、前記蓋２０は、更に、内周面４２２が当前記複数のリブ２４６に当接して前記円筒部２４に外嵌されるインナー蓋４２を備え、前記インナー蓋４２の内周面４２２と前記円筒部２４の外周面２４２との間に、空気が通過するための隙間Ｇを形成するように配置されている。
【００１８】
図８を参照する。ユーザーは、真空ポンプ２００を前記蓋２０の頂部に取り付けることで、容器本体１０の収納空間１０ａを開放することができる。前記容器本体１０の貫通孔２２２を介して、空域を外部に吸引する。前記容器本体１０は負圧になる時に、前記プラグ本体２８が外部の空気の圧力により押圧されて下に移動して前記貫通孔２２２を閉塞する（図７を参照）。前記可動部材３０の頂縁が前記蓋本体２２の凹穴２２４の頂縁より低いため、ユーザーが不用意に前記可動部材３０に触れて真空を開放することを回避することができる。
【００１９】
図９を参照する。ユーザーが真空を開放したいときに、前記可動部材３０の延出部３４の何れか一方の前記立面３４２を押すと、前記可動部材３０がずれて、外部の空気を前記容器本体１０の収納空間１０ａに入れることができる。
【００２０】
上記したように、本考案によれば、前記プラグ本体２８に可動部材３０を配置することで、ユーザーがプラグ２６を容易に押して真空を開放し、蓋２０を取り外すことができるため使用が便利である。
【００２１】
上述したものは本考案の好ましい実行可能な実施形態に過ぎず、本考案の明細書及び実用新案登録請求の範囲に均等な変形はすべて、本考案の実用新案登録請求の範囲内に含まれるべきである。
【符号の説明】
【００２２】
１０  容器本体
１０ａ  収納空間
１０ｂ  上部開口
１２  ロックタブ
２０  蓋
２２  蓋本体
２２ａ  頂面
２２ｂ  奥面
２３  パッキン
２４  円筒部
２６  プラグ
２８  プラグ本体
３０  可動部材
３２  係合部
３４  延出部
３６  フランジ
４０  ロック部
４２  インナー蓋
１００  真空鮮度保存容器
２００  真空ポンプ
２２２  貫通孔
２２４  凹穴
２４２  外周面
２４６  リブ
２８２  第一フランジ部
２８２ａ  頂面
２８４  第二フランジ部
２８６  連結部
２８８  係合溝
２８８ａ  第一溝部
２８８ｂ  第二溝部
３２２  ヘッド部
３２４  ネック部
３４２  立面
３６２  上傘面
４２２  内周面
Ｇ  隙間
Ｘ  第２の軸方向
Ｚ  第１の軸方向
θ  角
【図１】
0003225210.tif 000003
【図２】
0003225210.tif 000004
【図３】
0003225210.tif 000005
【図４】
0003225210.tif 000006
【図５】
0003225210.tif 000007
【図６】
0003225210.tif 000008
【図７】
0003225210.tif 000009
【図８】
0003225210.tif 000010
【図９】
0003225210.tif 000011